(57)【要約】【課題】オーバーライトの繰り返しにより書換型光ディスクにおける記録対象セクタが劣化した場合でも、記録対象セクタにおける記録状況が悪化せず、書換型光ディスクが再生不能となることを回避できる光ディスク装置を提供する。【解決手段】書換型光ディスクにおける記録対象セクタに対応するＰＣＡ（パワーキャリブレーションエリア）における領域に複数種類の記録パワーで記録し、記録されたデータを再生してジッタおよびエラーレートを測定し、ジッタが規定値以下かつエラーレートが規定値以下となる記録データが有れば該記録データに対応した記録パワーで記録対象セクタに記録し、もしジッタが規定値以下かつエラーレートが規定値以下となる記録データが無ければ、上記複数種類の記録パワーのうちの最小記録パワーよりも低い記録パワーで記録対象セクタに記録する。【選択図】図２
2008052775.tif 000002
【特許請求の範囲】
【請求項１】
書換型光ディスクが有する情報記録領域における記録対象セクタに対応する前記書換型光ディスクが有するＰＣＡ（パワーキャリブレーションエリア）における所定の領域に複数種類の記録パワーでデータを記録させる記録手段と、該記録されたデータを再生してジッタおよびエラーレートを測定する測定手段と、表示信号生成出力手段と、を備え、
該測定されたジッタが規定値以下となり、かつ、該測定されたエラーレートが規定値以下となるような記録されたデータが有る場合、該記録されたデータに対応する記録パワーで前記記録手段が前記記録対象セクタにデータを記録させ、
前記測定されたジッタが規定値以下となり、かつ、前記測定されたエラーレートが規定値以下となるような記録されたデータが無い場合、前記複数種類の記録パワーのうち最小である記録パワーよりも低く規定値以上の記録パワーで前記記録手段が前記ＰＣＡにおける所定の領域にデータを記録させ、該記録されたデータを前記測定手段が再生してジッタおよびエラーレートを測定し、
該測定されたジッタが規定値以下となり、かつ、該測定されたエラーレートが規定値以下となるような記録されたデータが有る場合、該記録されたデータに対応する記録パワーで前記記録手段が前記記録対象セクタにデータを記録させ、
前記測定されたジッタが規定値以下となり、かつ、前記測定されたエラーレートが規定値以下となるような記録されたデータが無い場合、前記表示信号生成出力手段が警告表示のための表示信号を生成し表示手段に出力し、前記情報記録領域への記録が行われない、
ことを特徴とする光ディスク装置。
【請求項２】
書換型光ディスクが有する情報記録領域における記録対象セクタに対応する前記書換型光ディスクが有するＰＣＡ（パワーキャリブレーションエリア）における所定の領域に複数種類の記録パワーで、かつ一定の所定の発光パルス幅でデータを記録させる記録手段と、該記録されたデータを再生してジッタおよびエラーレートを測定する測定手段と、表示信号生成出力手段と、を備え、
該測定されたジッタが規定値以下となり、かつ、該測定されたエラーレートが規定値以下となるような記録されたデータが有る場合、該記録されたデータに対応する記録パワーおよび発光パルス幅で前記記録手段が前記記録対象セクタにデータを記録させ、
前記測定されたジッタが規定値以下となり、かつ、前記測定されたエラーレートが規定値以下となるような記録されたデータが無い場合、前記複数種類の記録パワーで、かつ前記所定の発光パルス幅よりも大きく規定値以下の発光パルス幅で前記記録手段が前記ＰＣＡにおける所定の領域にデータを記録させ、該記録されたデータを前記測定手段が再生してジッタおよびエラーレートを測定し、
該測定されたジッタが規定値以下となり、かつ、該測定されたエラーレートが規定値以下となるような記録されたデータが有る場合、該記録されたデータに対応する記録パワーおよび発光パルス幅で前記記録手段が前記記録対象セクタにデータを記録させ、
前記測定されたジッタが規定値以下となり、かつ、前記測定されたエラーレートが規定値以下となるような記録されたデータが無い場合、前記表示信号生成出力手段が警告表示のための表示信号を生成し表示手段に出力し、前記情報記録領域への記録が行われない、
ことを特徴とする光ディスク装置。
【請求項３】
書換型光ディスクが有する情報記録領域における記録対象セクタに対応する前記書換型光ディスクが有するＰＣＡ（パワーキャリブレーションエリア）における所定の領域に複数種類の記録パワーでデータを記録させる記録手段と、該記録されたデータを再生してジッタおよびエラーレートを測定する測定手段と、を備え、
該測定されたジッタが規定値以下となり、かつ、該測定されたエラーレートが規定値以下となるような記録されたデータが有る場合、該記録されたデータに対応する記録パワーで前記記録手段が前記記録対象セクタにデータを記録させ、
前記測定されたジッタが規定値以下となり、かつ、前記測定されたエラーレートが規定値以下となるような記録されたデータが無い場合、前記複数種類の記録パワーのうち最小である記録パワーよりも低い記録パワーで前記記録手段が前記記録対象セクタにデータを記録させる、ことを特徴とする光ディスク装置。
【請求項４】
前記測定されたジッタが規定値以下となり、かつ、前記測定されたエラーレートが規定値以下となるような記録されたデータが無い場合、前記複数種類の記録パワーのうち最小である記録パワーよりも低く規定値以上の記録パワーで前記記録手段が前記ＰＣＡにおける所定の領域にデータを記録させ、該記録されたデータを前記測定手段が再生してジッタおよびエラーレートを測定し、
該測定されたジッタが規定値以下となり、かつ、該測定されたエラーレートが規定値以下となるような記録されたデータが有る場合、該記録されたデータに対応する記録パワーで前記記録手段が前記記録対象セクタにデータを記録させ、
前記測定されたジッタが規定値以下となり、かつ、前記測定されたエラーレートが規定値以下となるような記録されたデータが無い場合、前記情報記録領域への記録が行われない、ことを特徴とする請求項３に記載の光ディスク装置。
【請求項５】
書換型光ディスクが有する情報記録領域における記録対象セクタに対応する前記書換型光ディスクが有するＰＣＡ（パワーキャリブレーションエリア）における所定の領域に複数種類の記録パワーで、かつ一定の所定の発光パルス幅でデータを記録させる記録手段と、該記録されたデータを再生してジッタおよびエラーレートを測定する測定手段と、を備え、
該測定されたジッタが規定値以下となり、かつ、該測定されたエラーレートが規定値以下となるような記録されたデータが有る場合、該記録されたデータに対応する記録パワーおよび発光パルス幅で前記記録手段が前記記録対象セクタにデータを記録させ、
前記測定されたジッタが規定値以下となり、かつ、前記測定されたエラーレートが規定値以下となるような記録されたデータが無い場合、前記所定の発光パルス幅よりも大きな発光パルス幅で前記記録手段が前記記録対象セクタにデータを記録させる、ことを特徴とする光ディスク装置。
【請求項６】
前記測定されたジッタが規定値以下となり、かつ、前記測定されたエラーレートが規定値以下となるような記録されたデータが無い場合、前記複数種類の記録パワーで、かつ前記所定の発光パルス幅よりも大きく規定値以下の発光パルス幅で前記記録手段が前記ＰＣＡにおける所定の領域にデータを記録させ、該記録されたデータを前記測定手段が再生してジッタおよびエラーレートを測定し、
該測定されたジッタが規定値以下となり、かつ、該測定されたエラーレートが規定値以下となるような記録されたデータが有る場合、該記録されたデータに対応する記録パワーおよび発光パルス幅で前記記録手段が前記記録対象セクタにデータを記録させ、
前記測定されたジッタが規定値以下となり、かつ、前記測定されたエラーレートが規定値以下となるような記録されたデータが無い場合、前記情報記録領域への記録が行われない、ことを特徴とする請求項５に記載の光ディスク装置。
【発明の詳細な説明】
【技術分野】
【０００１】
本発明は光ディスク装置に関するものである。
【背景技術】
【０００２】
光ディスクの種類としては、相変化記録方式を用いた書換型光ディスクが存在し、例えばＣＤ−ＲＷ、ＤＶＤ−ＲＷ、ＤＶＤ＋ＲＷ等が挙げられる。このような書換型光ディスクへのデータ記録を行う光ディスク装置としては、例えば特許文献１に次のようなＣＤ−ＲＷレコーダが開示されている。
【０００３】
特許文献１に開示のＣＤ−ＲＷレコーダでは、セクタオーバーライトの際、現在のセクタに割り当てられた所定の記憶場所からオーバーライト回数と前回の最適記録パワー（最初は初期値）を読み出し、オーバーライト回数が所定回数（例えば５００回）以下であれば、前回の最適記録パワーを今回の最適記録パワーとして該記録パワーでオーバーライトし、インクリメントしたオーバーライト回数と今回の最適記録パワーを所定の記憶場所に記憶する。そして、オーバーライト回数が上記所定回数を超えた場合、ＰＣＡ（パワーキャリブレーションエリア）において所定ステップの記録パワーで最小から最大まで記録した後、ブロック誤り率が所定値以下となる記録パワー範囲で最小の記録パワーを最適記録パワーとして決定し、決定された最適記録パワーに基づく記録パワーでオーバーライトする。
【特許文献１】特開２００２−２５０６８号公報
【発明の開示】
【発明が解決しようとする課題】
【０００４】
しかし、上記特許文献１のＣＤ−ＲＷレコーダには次のような問題がある。オーバーライト回数が上記所定回数（例えば５００回）以下の間のオーバーライトの繰り返しによりＣＤ−ＲＷのセクタが劣化した場合、劣化が進んでいないＰＣＡにおいて決定された最適記録パワーはセクタにとっては最適とはならず、セクタにおける記録状況が悪化しＣＤ−ＲＷが再生不能となる可能性がある。
【０００５】
上記問題点を鑑み、本発明は、オーバーライトの繰り返しにより書換型光ディスクにおける記録対象セクタが劣化した場合でも、記録対象セクタにおける記録状況が悪化せず、書換型光ディスクが再生不能となることを回避できる光ディスク装置を提供することを目的とする。
【課題を解決するための手段】
【０００６】
上記目的を達成するために本発明の光ディスク装置は、書換型光ディスクが有する情報記録領域における記録対象セクタに対応する前記書換型光ディスクが有するＰＣＡ（パワーキャリブレーションエリア）における所定の領域に複数種類の記録パワーでデータを記録させる記録手段と、該記録されたデータを再生してジッタおよびエラーレートを測定する測定手段と、を備え、
該測定されたジッタが規定値以下となり、かつ、該測定されたエラーレートが規定値以下となるような記録されたデータが有る場合、該記録されたデータに対応する記録パワーで前記記録手段が前記記録対象セクタにデータを記録させ、
前記測定されたジッタが規定値以下となり、かつ、前記測定されたエラーレートが規定値以下となるような記録されたデータが無い場合、前記複数種類の記録パワーのうち最小である記録パワーよりも低い記録パワーで前記記録手段が前記記録対象セクタにデータを記録させる、ことを特徴としている。
【０００７】
このような構成によれば、オーバーライトの繰り返しにより記録対象セクタとそれに対応するＰＣＡにおける所定の領域とで同時に劣化が進み、標準レベルである複数種類の記録パワーでは記録状況が悪化する状態になった場合でも、複数種類の記録パワーのうち最小である記録パワーよりも低い記録パワーで記録対象セクタに記録されるので、記録状況が悪化することがなく、書換型光ディスクが再生不能となることを回避できる。
【０００８】
また、本発明の光ディスク装置は上記構成において、前記測定されたジッタが規定値以下となり、かつ、前記測定されたエラーレートが規定値以下となるような記録されたデータが無い場合、前記複数種類の記録パワーのうち最小である記録パワーよりも低く規定値以上の記録パワーで前記記録手段が前記ＰＣＡにおける所定の領域にデータを記録させ、該記録されたデータを前記測定手段が再生してジッタおよびエラーレートを測定し、
該測定されたジッタが規定値以下となり、かつ、該測定されたエラーレートが規定値以下となるような記録されたデータが有る場合、該記録されたデータに対応する記録パワーで前記記録手段が前記記録対象セクタにデータを記録させ、
前記測定されたジッタが規定値以下となり、かつ、前記測定されたエラーレートが規定値以下となるような記録されたデータが無い場合、前記情報記録領域への記録が行われない、ことを特徴としている。
【０００９】
このような構成によれば、標準レベルである複数種類の記録パワーのうち最小である記録パワーよりも低い記録パワーで記録しても記録状況の悪化が回避できない場合でも、情報記録領域への記録自体が行われないため、書換型光ディスクが再生不能となることを回避できる。
【００１０】
さらに上記構成において、表示信号生成出力手段を備え、前記測定されたジッタが規定値以下となり、かつ、前記測定されたエラーレートが規定値以下となるような記録されたデータが無い場合、前記表示信号生成出力手段が警告表示のための表示信号を生成し表示手段に出力するようにするとよい。このような構成によれば、警告表示によりユーザに新しい書換型光ディスクを使用するよう促すことができる。
【００１１】
また、本発明の光ディスク装置は、書換型光ディスクが有する情報記録領域における記録対象セクタに対応する前記書換型光ディスクが有するＰＣＡ（パワーキャリブレーションエリア）における所定の領域に複数種類の記録パワーで、かつ一定の所定の発光パルス幅でデータを記録させる記録手段と、該記録されたデータを再生してジッタおよびエラーレートを測定する測定手段と、を備え、
該測定されたジッタが規定値以下となり、かつ、該測定されたエラーレートが規定値以下となるような記録されたデータが有る場合、該記録されたデータに対応する記録パワーおよび発光パルス幅で前記記録手段が前記記録対象セクタにデータを記録させ、
前記測定されたジッタが規定値以下となり、かつ、前記測定されたエラーレートが規定値以下となるような記録されたデータが無い場合、前記所定の発光パルス幅よりも大きな発光パルス幅で前記記録手段が前記記録対象セクタにデータを記録させる、ことを特徴としている。
【００１２】
このような構成によれば、オーバーライトの繰り返しにより記録対象セクタとそれに対応するＰＣＡにおける所定の領域とで同時に劣化が進み、標準レベルである複数種類の記録パワーおよび標準の所定の発光パルス幅では記録状況が悪化する状態になった場合でも、標準の所定の発光パルス幅よりも大きな発光パルス幅で記録対象セクタに記録されるので、記録状況が悪化することがなく、書換型光ディスクが再生不能となることを回避できる。
【００１３】
また、本発明の光ディスク装置は上記構成において、前記測定されたジッタが規定値以下となり、かつ、前記測定されたエラーレートが規定値以下となるような記録されたデータが無い場合、前記複数種類の記録パワーで、かつ前記所定の発光パルス幅よりも大きく規定値以下の発光パルス幅で前記記録手段が前記ＰＣＡにおける所定の領域にデータを記録させ、該記録されたデータを前記測定手段が再生してジッタおよびエラーレートを測定し、
該測定されたジッタが規定値以下となり、かつ、該測定されたエラーレートが規定値以下となるような記録されたデータが有る場合、該記録されたデータに対応する記録パワーおよび発光パルス幅で前記記録手段が前記記録対象セクタにデータを記録させ、
前記測定されたジッタが規定値以下となり、かつ、前記測定されたエラーレートが規定値以下となるような記録されたデータが無い場合、前記情報記録領域への記録が行われない、ことを特徴としている。
【００１４】
このような構成によれば、標準レベルである複数種類の記録パワーおよび標準の所定の発光パルス幅よりも大きな発光パルス幅で記録しても記録状況の悪化が回避できない場合でも、情報記録領域への記録自体が行われないため、書換型光ディスクが再生不能となることを回避できる。
【００１５】
さらに上記構成において、表示信号生成出力手段を備え、前記測定されたジッタが規定値以下となり、かつ、前記測定されたエラーレートが規定値以下となるような記録されたデータが無い場合、前記表示信号生成出力手段が警告表示のための表示信号を生成し表示手段に出力するようにするとよい。このような構成によれば、警告表示によりユーザに新しい書換型光ディスクを使用するよう促すことができる。
【発明の効果】
【００１６】
本発明の光ディスク装置によれば、オーバーライトの繰り返しにより書換型光ディスクにおける記録対象セクタが劣化した場合でも、記録対象セクタにおける記録状況が悪化せず、書換型光ディスクが再生不能となることを回避できる。
【発明を実施するための最良の形態】
【００１７】
以下、本発明に係る実施形態について図面を参照し説明する。図１に、本発明に係る光ディスク装置の一部の構成を示すブロック図を示す。
【００１８】
ディスク１は、書換型光ディスクであり、例えばＤＶＤ−ＲＷ、ＤＶＤ＋ＲＷ、ＣＤ−ＲＷである。ディスク１は、内周側から記録情報管理領域および情報記録領域を有する。記録情報管理領域はＰＣＡ（パワーキャリブレーションエリア）および記録管理領域から構成される。また、情報記録領域は、ユーザデータが記録されるためのデータ領域を有する。
【００１９】
光ピックアップ２は、不図示のＬＤ（レーザダイオード）、対物レンズ、対物レンズアクチュエータ、フォトディテクタ等を有し、ＬＤから出力されたレーザビームをディスク１に集光させ、ディスク１に記録されたデータを読み出したり、ディスク１にデータを記録したりする。ヘッドアンプ３は、光ピックアップ２が有する不図示のフォトディテクタの出力を演算増幅する。ＬＤドライバ４は、光ピックアップ２が有する不図示のＬＤに駆動信号を出力する。ＯＳＤ部６は、文字や図形を表示するための表示信号を生成して出力する。
【００２０】
このような構成の本発明に係る光ディスク装置のデータ記録動作について以下、図２のフローチャートに沿って説明する。
【００２１】
まず、ステップＳ１で、制御部５は、ＬＤドライバ４を介して光ピックアップ２が有する不図示のＬＤを所定数のステップで記録パワーを所定の最小値から所定の最大値まで変更して発光させ、ディスク１の情報記録領域における記録対象セクタに対応するＰＣＡにおける所定の領域にデータを記録させる。
【００２２】
そして、ステップＳ２で、光ピックアップ２は、上記ステップＳ１でデータが記録されたＰＣＡにおける所定の領域からデータを読取りヘッドアンプ３に出力し、ヘッドアンプ３は該データを演算増幅し結果のデータを制御部５に出力し、制御部５は該データに基づきジッタおよびエラーレートを測定する。
【００２３】
そして、ステップＳ３で、制御部５は、上記ステップＳ１で複数の記録パワーにてＰＣＡにおける所定の領域に記録されたデータのうちジッタが規定値以下となり、かつエラーレートが規定値以下となるようなデータが有るか否か判定する。もし有れば（ステップＳ３のＹ）、ステップＳ９に進み、そのデータに対応した記録パワー値をセクタ番号と共に制御部５が記憶部７に記憶させる。ただし、ジッタが規定値以下となり、かつエラーレートが規定値以下となるようなデータが複数有る場合は対応する記録パワーの最小値をセクタ番号と共に制御部５が記憶部７に記憶させる。
【００２４】
ステップＳ９の後、もし次の記録対象セクタが有る場合（ステップＳ１０のＹ）、ステップＳ１に戻る。また、ステップＳ９の後、もし次の記録対象セクタがない場合（ステップＳ１０のＮ）、ステップＳ１１に進み、制御部５は、記憶部７に記憶されたセクタ番号と記録パワー値に基づき各記録対象セクタに対応した記録パワーでＬＤドライバ４を介して不図示のＬＤを発光させ各記録対象セクタにデータを記録させる。
【００２５】
もし上記ステップＳ３で、ジッタが規定値以下となり、かつ、エラーレートが規定値以下となるような記録データがない場合は（ステップＳ３のＮ）、ステップＳ４に進む。ステップＳ４で、制御部５は、最大値が上記ステップＳ１で用いた記録パワーの最小値よりも小さくなるよう上記ステップＳ１で用いた各記録パワーを低めにシフトさせた各記録パワーでＬＤドライバ４を介して不図示のＬＤを発光させ、ＰＣＡにおける上記所定の領域にデータを記録させる。
【００２６】
そして、ステップＳ５で、光ピックアップ２は、上記ステップＳ４でデータが記録されたＰＣＡにおける所定の領域からデータを読取りヘッドアンプ３に出力し、ヘッドアンプ３は該データを演算増幅し結果のデータを制御部５に出力し、制御部５は該データに基づきジッタおよびエラーレートを測定する。
【００２７】
そして、ステップＳ６で、制御部５は、上記ステップＳ４でＰＣＡにおける所定の領域に記録されたデータのうちジッタが規定値以下となり、かつエラーレートが規定値以下となるようなデータが有るか否か判定する。もし有れば（ステップＳ６のＹ）、ステップＳ９に進み、そのデータに対応した記録パワー値をセクタ番号と共に制御部５が記憶部７に記憶させる。ただし、ジッタが規定値以下となり、かつエラーレートが規定値以下となるようなデータが複数有る場合は対応する記録パワーの最小値をセクタ番号と共に制御部５が記憶部７に記憶させる。一方、もし上記のようなデータがなければ（ステップＳ６のＮ）、ステップＳ７に進む。
【００２８】
ステップＳ７で、制御部５は、上記ステップＳ４でデータ記録に用いた記録パワーの最小値が規定値であるか否かを判定し、もし規定値でなければ（ステップＳ７のＮ）、ステップＳ４に戻り、さらに上記と同様に記録パワーを低めにシフトさせて以下同様の動作を行う。一方、もし規定値であれば（ステップＳ７のＹ）、これ以上は記録パワーを下げることができないため、ステップＳ８に進む。
【００２９】
ステップＳ８で、ＯＳＤ部６は制御部５の指示により表示信号を生成し外部の不図示の表示装置に出力し、表示装置には例えば「記録できませんでした。新しいディスクを使用して下さい。」等の警告表示がされ、ディスク１の情報記録領域への記録は行われない。
【００３０】
以上のような記録動作によれば、まずディスク１の情報記録領域におけるセクタおよびそれに対応するＰＣＡにおける領域において標準レベルの記録パワーでオーバーライトが繰り返され同時に劣化が進む。そして、標準レベルの記録パワーで記録すれば記録状況が悪化してしまう状態になった場合、ＰＣＡにおける領域において記録状況が悪化しないような標準レベルよりも低いレベルの記録パワーを決定した上で該記録パワーで情報記録領域におけるセクタに記録するため、セクタにおいて記録状況が悪化することがなく、ディスク再生不能となることを回避できる。
【００３１】
また、標準レベルの記録パワーよりも低いレベルの記録パワーを用いても記録状況悪化を回避できない状態の場合でも、情報記録領域へ記録することがないためディスク再生不能となることを回避できる。この場合、警告表示も行うため、ユーザに新しいディスクを使用するよう促すこともできる。
【００３２】
また、図３のフローチャートは、本発明に係る光ディスク装置における記録動作の別実施形態を示す。
【００３３】
まず、ステップＳ２１で、制御部５は、ＬＤドライバ４を介して光ピックアップ２が有する不図示のＬＤを所定数のステップで記録パワーを所定の最小値から所定の最大値まで変更し発光パルス幅は一定の所定値で発光させ、ディスク１の情報記録領域における記録対象セクタに対応するＰＣＡにおける所定の領域にデータを記録させる。
【００３４】
そして、ステップＳ２２で、光ピックアップ２は、上記ステップＳ２１でデータが記録されたＰＣＡにおける所定の領域からデータを読取りヘッドアンプ３に出力し、ヘッドアンプ３は該データを演算増幅し結果のデータを制御部５に出力し、制御部５は該データに基づきジッタおよびエラーレートを測定する。
【００３５】
そして、ステップＳ２３で、制御部５は、上記ステップＳ２１で複数の記録パワーにてＰＣＡにおける所定の領域に記録されたデータのうちジッタが規定値以下となり、かつエラーレートが規定値以下となるようなデータが有るか否か判定する。もし有れば（ステップＳ２３のＹ）、ステップＳ２９に進み、そのデータに対応した記録パワー値および発光パルス幅の値をセクタ番号と共に制御部５が記憶部７に記憶させる。ただし、ジッタが規定値以下となり、かつエラーレートが規定値以下となるようなデータが複数有る場合は対応する記録パワーの最小値および対応する発光パルス幅の値をセクタ番号と共に制御部５が記憶部７に記憶させる。
【００３６】
ステップＳ２９の後、もし次の記録対象セクタが有る場合（ステップＳ３０のＹ）、ステップＳ２１に戻る。また、ステップＳ２９の後、もし次の記録対象セクタがない場合（ステップＳ３０のＮ）、ステップＳ３１に進み、制御部５は、記憶部７に記憶されたセクタ番号、記録パワー値および発光パルス幅の値に基づき各記録対象セクタに対応した記録パワーおよび発光パルス幅でＬＤドライバ４を介して不図示のＬＤを発光させ各記録対象セクタにデータを記録させる。
【００３７】
もし上記ステップＳ２３で、ジッタが規定値以下となり、かつ、エラーレートが規定値以下となるような記録データがない場合は（ステップＳ２３のＮ）、ステップＳ２４に進む。ステップＳ２４で、制御部５は、発光パルス幅を上記ステップＳ２１における所定値の発光パルス幅よりも大きな発光パルス幅とし、記録パワーを上記ステップＳ２１での各記録パワーとしてＬＤドライバ４を介して不図示のＬＤを発光させ、ＰＣＡにおける上記所定の領域にデータを記録させる。
【００３８】
そして、ステップＳ２５で、光ピックアップ２は、上記ステップＳ２４でデータが記録されたＰＣＡにおける所定の領域からデータを読取りヘッドアンプ３に出力し、ヘッドアンプ３は該データを演算増幅し結果のデータを制御部５に出力し、制御部５は該データに基づきジッタおよびエラーレートを測定する。
【００３９】
そして、ステップＳ２６で、制御部５は、上記ステップＳ２４でＰＣＡにおける所定の領域に記録されたデータのうちジッタが規定値以下となり、かつエラーレートが規定値以下となるようなデータが有るか否か判定する。もし有れば（ステップＳ２６のＹ）、ステップＳ２９に進み、そのデータに対応した記録パワー値および発光パルス幅の値をセクタ番号と共に制御部５が記憶部７に記憶させる。ただし、ジッタが規定値以下となり、かつエラーレートが規定値以下となるようなデータが複数有る場合は対応する記録パワーの最小値および対応する発光パルス幅の値をセクタ番号と共に制御部５が記憶部７に記憶させる。一方、もし上記のようなデータがなければ（ステップＳ２６のＮ）、ステップＳ２７に進む。
【００４０】
ステップＳ２７で、制御部５は、上記ステップＳ２４でデータ記録に用いた発光パルス幅が規定値であるか否かを判定し、もし規定値でなければ（ステップＳ２７のＮ）、ステップＳ２４に戻り、さらに発光パルス幅を大きくして以下同様の動作を行う。一方、もし規定値であれば（ステップＳ２７のＹ）、これ以上は発光パルス幅を大きくすることができないため、ステップＳ２８に進む。
【００４１】
ステップＳ２８で、ＯＳＤ部６は制御部５の指示により表示信号を生成し外部の不図示の表示装置に出力し、表示装置には例えば「記録できませんでした。新しいディスクを使用して下さい。」等の警告表示がされ、ディスク１の情報記録領域への記録は行われない。
【００４２】
以上のような記録動作によれば、まずディスク１の情報記録領域におけるセクタおよびそれに対応するＰＣＡにおける領域において標準レベルの記録パワーおよび標準の所定の発光パルス幅でオーバーライトが繰り返され同時に劣化が進む。そして、標準レベルの記録パワーおよび標準の所定の発光パルス幅で記録すれば記録状況が悪化してしまう状態になった場合、ＰＣＡにおける領域において記録状況が悪化しないような標準レベルの記録パワーおよび標準の所定の発光パルス幅よりも大きな発光パルス幅を決定した上で該記録パワーおよび該発光パルス幅で情報記録領域におけるセクタに記録するため、セクタにおいて記録状況が悪化することがなく、ディスク再生不能となることを回避できる。
【００４３】
また、標準の所定の発光パルス幅よりも大きな発光パルス幅を用いても記録状況悪化を回避できない状態の場合でも、情報記録領域へ記録することがないためディスク再生不能となることを回避できる。この場合、警告表示も行うため、ユーザに新しいディスクを使用するよう促すこともできる。
【図面の簡単な説明】
【００４４】
【図１】は、本発明に係る光ディスク装置のブロック図である。
【図２】は、本発明に係る光ディスク装置における記録動作についてのフローチャートである。
【図３】は、本発明に係る光ディスク装置における記録動作の別実施形態についてのフローチャートである。
【符号の説明】
【００４５】
１    ディスク
２    光ピックアップ
３    ヘッドアンプ
４    ＬＤドライバ
５    制御部
６    ＯＳＤ部
７    記憶部
【図１】
2008052775.tif 000003
【図２】
2008052775.tif 000004
【図３】
2008052775.tif 000005